【事件の表示】
　平成　５年特許願第　９７０９８号「火災受信機における表示装置」拒絶査定に対する審判事件［平成　６年１０月１８日出願公開、特開平　６−２９０３８１］について、次のとおり審決する。
【結　論】
　本件審判の請求は、成り立たない。
【理　由】
１．本願発明
　本願は、平成５年３月３０日の出願であって、その請求項１ないし５に係る発明は、平成１４年６月２７日付けの手続補正書により補正された明細書及び出願当初の図面の記載からみて、その特許請求の範囲の請求項１ないし５に記載されたとおりのものと認められるところ、請求項２に係る発明（以下「本願発明」という。）は、次のとおりである。
　
「火災報知設備の動作を表示する動作表示部と；
　メニューを表示するメニュー表示部と；
　上記メニュー表示部に表示されている上記メニューから選択されたメニューの内容に関するキーと、そのキーを操作した場合の説明とを表示する操作説明表示部と；
　を有することを特徴とする火災受信機における表示装置。」
　
２．引用文献
（１）原査定における拒絶の理由に引用された特開平３−１９６２９３号公報（平成３年８月２７日公開、以下「引用文献」という。）には、次の事項が記載されている。
　
　ア．「第１図は本発明の実施例を用いる防災システムの基本的構成を示しており、この実施例では防災受信機１と、アナログの感知出力を発生する火災感知器３…を接続している中継器２…との間で伝送線ｌを介して時分割多重伝送によりデータ授受を行い、防災受信機１では各中継器２…に接続されている火災感知器３…の感知出力データの収集を行い、
・・・
防災表示器制御装置６はこの防災ホストコンピュータ５からのデータに基づいて防災表示器４…にて表示させるための
・・・
機能とを備え」（２頁右上欄１８行〜左下欄１９行）
　
　イ．「防災表示器４のディスプレイ１６に操作画面を表示させた第４図に示す状態において、画面の下に表示されたファンクションキーの設定内容欄(1)〜(12)（審決注：丸数字を両かっこで記載する。以下同じ。）から“アナログ”と表示されている設定内容欄(8)に対応するファンクションキーの座標をマウス１５によってヒット（或はキーボード１３によって操作）すると、制御部１４はディスプレイ１６の表示画面を第５図に示す画面に切り換え、履歴データを表示させる火災感知器３を選択する選択用画面とする。
　この画面では表示している警戒地区の地図上に示される火災感知器のシンボルマークＭに対しマウス１５による選択を要求するメッセージを画面左下に表示する。
　ここで、マウス１５によりシンボルマークＭの座標をヒットして入力すると、制御部１４は当該シンボルマークＭの色を別の色に変色させて選択されたことを表示し
・・・
防災表示器４の制御部１４ではこの転送データに基づいてディスプレイ１６の画面に期間履歴サンプリング中或は発報履歴サンプリング中のメッセージを表示する。
・・・
尚この場合防災受信機１から現在値を転送させ、現在値を表示させるようにしても良い。
　さて上記サンプリング中の表示がある履歴に対応した“発報履歴”、或は“期間履歴”に設定されている例えば(6)又は(7)の設定内容欄のファンクションキーの座標をヒット又はファンクションキー自体を操作すれば
・・・
に送信する。
・・・
　防災表示器４の制御部１４はこの転送されてきた履歴データに基づいて第６図に示すようにマルチウインドウＷに履歴をグラフ表現で表示する。」（３頁右上欄５行〜右下欄２０行）
　
　ウ．「ところで上述したように期間履歴データの収集は予め登録された火災感知器３…を対象とするものであるが、この登録は第４図に示す操作画面において、設定内容欄(9)の“登録”に対応するファンクションキーの座標をヒット又はファンクションキー自体を操作すると、制御部１４はディスプレイ１６の画面をこのヒット又は操作に基づいて第７図に示すような登録用画面に切り換える。この画面において表示された地図上の所定の火災感知器３のシンボルマークＭをマウスによりヒットすることによって登録すべき火災感知器３を選択する。この選択に応じて制御部１４は当該火災感知器３のシンボルマークＭの色を変色して、選択されたことを表示する。」（４頁右上欄３〜１６行）
　
　エ．第５図において、ディスプレイ１６の左下に、「感知器をセットしてください」との表示がされ、第７図において、ディスプレイ１６の左下に、「アナログ感知器を選択してください」との表示がされていることが、図示されている。
　
（２）引用文献において、各火災感知器３の履歴や現在値等を表示することは、火災報知設備の動作を表示するものであり、これらを表示するマルチウインドウＷや他部分の画面は、その動作表示部といえるものである。
　また、ディスプレイ１６における「ファンクションキーの設定内容欄」及び「地図上に表示される火災感知器のシンボルマーク」は、何らかの手段によってその内容が選択された場合に、それに沿って次の段階に移るものであることから、メニューであるといえ、その表示部をメニュー表示部といえる。
　また、それらを選択するためのファンクションキー、キーボード、マウスを、メニューの内容に関するキーであるといえる。
　また、「感知器をセットしてください」、「アナログ感知器を選択してください」等と例示されている表示は、上記のキーを操作することを指示する表示である。
　さらに、防災表示器４は、火災感知器からの受信機と組み合わされたものであり、火災受信機の表示装置といえるものである。
　
（３）以上から、引用文献には、次の発明が記載されていると認められる。
　
「火災報知設備の動作を表示する動作表示部と；
　メニューを表示するメニュー表示部と；
　上記メニュー表示部に表示されている上記メニューから選択されたメニューの内容に関するキーと、そのキーを操作することを指示する表示部と；
　を有する火災受信機における表示装置。」
　
３．対比
　本願発明と引用文献に記載された発明とを対比すると、両発明は、
「火災報知設備の動作を表示する動作表示部と；
　メニューを表示するメニュー表示部と；
　上記メニュー表示部に表示されている上記メニューから選択されたメニューの内容に関するキーと、そのキーを操作することに関する表示部と；
　を有する火災受信機における表示装置。」
である点で一致し、次の点で相違する。
　
（相違点）
　本願発明においては、キーを操作することに関する表示が、そのキーを操作した場合の操作説明であるのに対し、引用文献に記載の発明においては、そのキーを操作することを指示する表示である点
　
４．判断
（１）上記相違点について検討する。
　本願発明においては、キー操作に関する表示は、キーを操作した場合の操作説明ではあるが、その実施例として明細書及び図面で開示されているものは、「選択キーを押すと故障内容を表示します。」、「選択キーを押すと地区音響停止の設定画面になります。」等というものであり、それぞれ、メニュー表示部に表示されている「故障表示」、「地区音響停止」を実行するための次段階の画面に移行するためには、所定のキーを押すことで達成できることを表現しているものである。
　一方、引用文献に記載された発明におけるキー操作することを指示する表示も、メニューに沿った実行を行うための次段階の画面に移行するためには所定のキー操作が必要なことから、その操作を促すものであり、この点では、両者は共通するものである。
　
（２）しかも、装置のキー操作に関する説明の表示として、キー操作を行った場合の結果についても説明をすることは、例えば、特開平３−１５８９１７号公報の第２図に、キー４について、「原稿をセットした後、ワンタッチで押すだけで送信を開始します。」と表示され、実開昭６１−１８８１５６号公報の第５図に、予熱ボタンについてのメッセージ例として、「予熱ボタンは、ＣＯＰＹ操作をしない場合に使用して下さい。節電になります。」と記載されるように、必要に応じて、適宜なされる周知の事項に過ぎないものである。
　
（３）以上から、上記相違点に関する本願発明の構成とすることは、容易に想到することができたものと認められる。
　
（４）また、本願発明を全体としてみても、引用文献に記載の発明及び周知技術から予測される以上の格別の効果を奏するとも認められない。
　
５．むすび
　したがって、本願発明は引用文献に記載された発明及び周知技術に基づいて当業者が容易に発明をすることができたものであるから、特許法第２９条第２項の規定により特許を受けることができない。
  よって、結論のとおり審決する。